(57)【要約】【課題】エスカレーターの踏板とライザの接続部を円弧状にしても、水平走行時に上記接続部にすき間を発生しないようにする。【解決手段】踏板２の上面に第１クリート４と第２クリート５とを交互に形成し、ライザ３にはライザクリート６を形成する。第１クリート４のライザ側端部を円弧状部４ａに形成し、第２クリート５の反ライザ側端部を第１クリート４の反ライザ側端部よりも長く形成する。そして、隣接する踏板２，２が同一平面を形成したとき、上記第２クリート５の延長部分を、第１クリート４の円弧状部間４ａ，４ａ間に位置する長さにする。これで、第２クリート５の延長部分は第１クリート４の円弧状部４ａを遮へいする。【選択図】      図１
2005022801.tif 000002
【特許請求の範囲】
【請求項１】
水平に保持した複数の踏板が互いに隣接して連結されて移動する装置のおいて、上記踏板の上面に上記踏板の走行方向に沿う第１クリートと第２クリートとを交互に形成し、上記第１クリートの一端を円弧状に形成し、上記第２クリートの両端部の内上記第１クリートの他端に対応する端部を上記隣接する踏板が同一平面を形成した状態で上記第１クリートの円弧状部間に位置する長さに形成したことを特徴とするエスカレーターの踏板装置。
【請求項２】
水平に保持された踏板と、この踏板の一端から湾曲下垂したライザとを有する複数の踏段が互いに隣接して連結され、上記各踏段は上記踏板が階段状に変位して移動した後上記踏板が互いに同一平面を形成して移動する装置において上記踏板の上面に上記踏段の走行方向に沿う第１クリートと第２クリートを交互に形成し、上記ライザには上記隣接する踏板が階段状に変位した状態で上記隣接する踏板の第２クリートの端部が挿入されるライザクリートを形成し、上記第１クリートの上記ライザ側端部を円弧状に形成し、上記第２クリートの反ライザ側端部を上記第１クリートの反ライザ側端部よりも延長して形成し、かつこの延長部を上記隣接する踏板が同一平面を形成した状態で上記隣接する踏板の第１クリートの円弧状部間に位置する長さに形成したことを特徴とするエスカレーターの踏段装置。
【発明の詳細な説明】
【０００１】
【発明の属する技術分野】
この発明は、複数の踏板が互いに隣接して連結されて移動するエスカレーターの踏段装置に関するものである。
【０００２】
【従来の技術】
従来のエスカレーターの踏段装置においては、クリートをそれぞれ設けたステップとライザを備え、ライザに設けたクリートの下部に突出部を設ける構成にしている（例えば特許文献１参照）。
【０００３】
【特許文献１】
特開平５−１５５５７３号公報（段落０００７、図１〜図３）
【０００４】
【発明が解決しようとする課題】
上記のような従来のエスカレーターの踏段装置では、ライザのクリートの下部に突出部を設けることにより、隣接する踏板（ステップ）間で乗客の足が挟みこまれるのを防止するようにしているが、踏板のクリートとライザのクリートの接続部は鋭角を形成しており、乗客に対して接触時や転倒時に裂傷などを与える虞れがある。また、この部分を円弧状にすることも考えられるが、隣接する踏板が同一平面を形成したとき、両ステップ間にすき間が生じ、手足や衣服が巻き込まれる虞れがある等の問題点がある。
【０００５】
この発明は上記問題点を解消するためになされたもので、踏板とライザの接続部にすき間を発生させることなく、かつ上記接続部を円弧状に形成できるようにしたエスカレーターの踏段装置を提供することを目的とする。
【０００６】
【課題を解決するための手段】
この発明に係るエスカレーターの踏段装置は、踏板の上面に踏板の走行方向に沿う第１クリートと第２クリートを交互に形成し、第１クリートの一端を円弧状に形成し、第２クリートの両端部の内第１クリートの他端に対応する端部を隣接する踏板が同一平面を形成した状態で第１クリートの円弧状部間に位置する長さに形成したものである。
【０００７】
【発明の実施の形態】
実施の形態１．
図１〜図４はこの発明の第１及び第２発明の一実施の形態を示す図で、図１は踏段部分を示す斜視図、図２は図１の部分平面図、図３踏段状走行時の踏段の側面図、図４は水平走行時の踏段の側面図であり、図中同一符号は同一部分を示す。
【０００８】
図１及び図２において、エスカレーターの踏段１Ａ，１Ｂは互いに隣接して無端状に連結されている。踏段１Ａは水平に配置された踏板２と、この踏板２に接続されて湾曲下垂するライザ３とで構成され、ライザ３は隣接する踏段１Ｂの踏板２との間の段差部を形成している。踏板２には踏段１Ａ，１Ｂの走行方向に沿う複数本の第１クリート４及び第２クリート５が交互に配置され、第１クリート４の一端（図１では左端）は円弧状部４ａが形成され、他端（図１では右端）は垂直面となっている。
【０００９】
第２クリート５の上面は第１クリート４の上面と一致し、その一端は第１クリート４の円弧終了部付近で垂直面となり、他端は第１クリート４の他端よりも突出して垂直面となっている。ライザ３には第１クリート４の円弧状部４ａの下面から下方へ緩やかに湾曲して形成されたライザクリート６が形成されている。そして、踏段１Ｂの第１クリート４の他端はライザクリート６の前面に対応し、第２クリート５の他端はライザクリート６，６間に形成される溝内に挿入されてその溝底６ａに対応している。なお、ライザクリート６，６間の溝の深さは、第１及び第２クリート４，５の溝の深さよりも深く形成されている。
【００１０】
次に、踏段１Ａ，１Ｂの走行中の各部の位置関係を図３及び図４を参照して説明する。
（１）段差走行時（図３）
踏段１Ａ，１Ｂが上階と下階の中間部を段差走行するときは、図３に示すように踏段１Ａ，１Ｂに設けられたローラ８が、踏段レール（図示しない）に案内されることによりその位置が変位し、踏板２，２は異なる水平面を保持している。
【００１１】
（２）水平走行時（図４）
踏段１Ａ，１Ｂが上階又は下階の降り口に接近すると、図４に示すようにローラ８が踏段レールに案内されることによりその位置が変位し、踏段１Ｂの踏板２は次第に上昇する。このとき，踏段１Ｂの第１クリート４の他端はライザクリート６の前面に沿って上昇し、第２クリート５の他端はライザクリート６，６間の溝底６ａに沿って上昇し、踏段１Ｂの踏板２は踏段１Ａの踏板２と同一平面となる。このとき、踏段１Ａの第１クリート４の円弧状部４ａは、踏段１Ｂの第２クリート５の他端によって遮へいされる。
【００１２】
このようにして、第１クリート４のライザ３側の端部を円弧状に形成し、第２クリート５の反ライザ３側の端部を長く形成して、隣接する踏板２，２が同一平面を形成したとき、第１クリート４の円弧状部４ａ，４ａ間に位置するようにしたため、踏板２とライザ３の接続部が鋭角となることを避けることが可能となるとともに、踏板２，２間が同一平面を形成したとき、上記接続部に生じるすき間７を緩和することが可能となる。
【００１３】
【発明の効果】
以上説明したとおりこの発明では、踏板の上面に第１クリートと第２クリートを交互に形成し、第１クリートの一端を円弧状に形成し、第２クリートの両端部の内第１クリートの他端に対応する端部を隣接する踏板が同一平面を形成した状態で第１クリートの円弧状部間に位置する長さに形成したので、踏板とライザの接続部が鋭角となることを避けることができるとともに、踏板が同一平面を形成したとき、接続部に生じるすき間を緩和することができる。
【図面の簡単な説明】
【図１】この発明の実施の形態１を示す踏段部分を示す斜視図。
【図２】図１の部分平面図。
【図３】この発明の実施の形態１を示す階段状走行時の踏段の側面図。
【図４】この発明の実施の形態１を示す水平走行時の踏段の側面図。
【符号の説明】
１Ａ，１Ｂ  踏段、２踏板、３ライザ、４第１クリート、４ａ円弧状部、５第２クリート、６ライザクリート、６ａ溝底。
【図１】
2005022801.tif 000003
【図２】
2005022801.tif 000004
【図３】
2005022801.tif 000005
【図４】
2005022801.tif 000006